(57)【特許請求の範囲】
【請求項１】
冷暖房ユニット（８ａ、８ｂ、８ｃ）と、流入導管（１４、６８）および帰還導管（１６、７０）を有する導管ネットワークと、前記流入導管（１４、６８）および帰還導管（１６、７０）に接続される複数の回路（１２ａ、１２ｂ、１２ｃ；３２、３４、３６、３８；７４、７６、７８）と、該回路（１２ａ、１２ｂ、１２ｃ；３２、３４、３６、３８；７４、７６、７８）の流量を調整する弁（２８、８８、９６）と、前記導管ネットワークにおいて熱伝達媒体または冷媒として働く流体と、前記回路（１２ａ、１２ｂ、１２ｃ；３２、３４、３６、３８；７４、７６、７８）にそれぞれ設けられた消費手段（２２）とを備える冷暖房装置（１０、６０）であって、
前記弁（２８、８８、９６）が、該弁（２８、８８、９６）の開閉度を調整する制御ユニット（４０）に接続されているとともに、
前記回路（１２ａ、１２ｂ、１２ｃ；３２、３４、３６、３８；７４、７６、７８）にそれぞれ設けられたセンサ（３８）が、前記回路（１２ａ、１２ｂ、１２ｃ；３２、３４、３６、３８；７４、７６、７８）の相互間の流体圧をバランス制御するように、前記センサ（３８）から制御ユニット（４０）に送信される信号に応じて前記弁（２８、８８、９６）を調整する制御ユニット（４０）の制御回路の一部を構成し、
前記回路（１２ａ、１２ｂ、１２ｃ；３２、３４、３６、３８；７４、７６、７８）に設けられた弁（２８、８８、９６）が、該弁（２８、８８、９６）の所定調整範囲において回路（１２ａ、１２ｂ、１２ｃ；３２、３４、３６、３８；７４、７６、７８）のただ一つの流量絞りとして構成されていることを特徴とする冷暖房装置（１０、６０）。
【請求項２】
前記センサ（３８）が、温度センサまたは圧力センサから構成されていることを特徴とする請求項１に記載の冷暖房装置（１０、６０）。
【請求項３】
前記センサ（３８）の１つが消費手段（２２）の上流側に設けられているとともに、別のセンサ（３８）が消費手段（２２）の下流側に設けられていることを特徴とする請求項１または請求項２に記載の冷暖房装置（１０、６０）。
【請求項４】
前記流体圧のバランス制御が、所定時間間隔で、かつ、前記弁（２８、８８、９６）の開閉度調整の程度に関して所定の増分で前記制御ユニット（４０）により調整されるように構成されていることを特徴とする請求項１ないし請求項３のいずれか１項に記載の冷暖房装置（１０、６０）。
【請求項５】
前記導管ネットワークに設けられた弁（２８、８８、９６）が、該弁（２８、８８、９６）の所定調整範囲において導管ネットワークのただ一つの流量絞りとして構成されていることを特徴とする請求項１ないし請求項４のいずれか１項に記載の冷暖房装置（１０、６０）。
【請求項６】
前記弁（２８、８８、９６）が、前記制御ユニット（４０）からの制御信号（５６）を受信して弁（２８、８８、９６）のアクチュエータを該制御信号（５６）に基づいて決定される位置に移動させるサーボモータ（２６）と連動するように構成されていることを特徴とする請求項１ないし請求項５のいずれか１項に記載の冷暖房装置（１０、６０）。
【請求項７】
前記弁（２８、８８、９６）が、完全に開放されている場合に流量絞り又はスロットルとして作動しないように設計されていることを特徴とする請求項１ないし請求項６のいずれか１項に記載の冷暖房装置（１０、６０）。
【請求項８】
前記制御ユニット（４０）が、温度調節する第１制御回路（４２、４６）と、前記回路の（１２ａ、１２ｂ、１２ｃ；３２、３４、３６、３８；７４、７６、７８）流体圧のバランス制御を調節する第２制御回路（３８、４８、５２）とを有していることを特徴とする請求項１ないし請求項７のいずれか１項に記載の冷暖房装置（１０、６０）。
【請求項９】
前記制御ユニット（４０）が、前記第１制御回路（４２、４６）と第２制御回路（３８、４８、５２）の出力に接続される最小値セレクタ（４４）を備え、前記第１制御回路（４２、４６）及び第２制御回路（３８、４８、５２）から送信される弁（２８、８８、９６）に対する制御信号（５０、５４）が、前記最小値セレクタ（４４）を経由して制御ユニット（４０）に供給され、かつ、別の制御信号を受信したときに前記弁（２８、８８、９６）が、最小値の状態に設定されるように構成されていることを特徴とする請求項８に記載の冷暖房装置（１０、６０）。
【発明の詳細な説明】
【技術分野】
【０００１】
本発明は、冷暖房ユニットと、流入導管および帰還導管を有する導管ネットワークと、
前記流入導管および帰還導管に接続される複数の回路と、この回路の流量を調整する弁と、前記導管ネットワークにおいて熱伝達媒体または冷媒として働く流体と、各回路に設けられた消費手段とを備えた冷暖房装置に関するものである。
【背景技術】
【０００２】
このような冷暖房装置は、例えば、欧州特許出願公開第１２０７３５５号明細書により、公知であり、主供給ラインを備える建物用の導管ネットワークを備えている。
そして、この主供給ラインは、主流入導管と主帰還導管とを備えている。
導管ネットワークにおいて、流体は、熱伝達媒体または冷媒として働く。
暖房回路、家庭用水回路および換気回路は、分配ユニットに接続されて、それぞれ少なくとも１つの弁と、例えば、放熱器／吸熱器や熱交換器などの少なくとも１つの消費手段とを有する冷暖房区域とにより構成されている。
これらの回路が接続された分配ユニットは、供給ユニットを構成している。
供給ユニットの上流側または下流側に配置される弁は、供給導管と帰還導管との圧力差の作用により制御されるようになっている。
この差圧弁は、供給ユニットの供給導管と帰還導管との圧力差を安定させるので、供給ユニットの内部の圧力がほぼ一定に保つことができ、複数の供給ユニットが同じように作動するようになる。
【０００３】
供給ユニットの内部の個々の回路は、同一または異なって構成される、いわゆる、流体回路を形成している。
【０００４】
また、欧州特許出願公開第１１１６９２１号明細書には、熱伝達媒体および／または冷媒を加熱および／または冷却する装置と、媒体の熱を外部放出および／または外部の熱の冷媒への吸収を行う数台の熱交換器と、媒体を輸送するために熱交換器および加熱／冷却装置をそれぞれ接続する管路と、熱交換器ごとに割り当てられて熱交換器を流れる媒体の流量を調整する弁とを備える建物用の室内空気調和装置が開示されている。
媒体の圧力を調整する装置は、媒体の圧力を変化させるために設けられている。
さらに、圧力センサが弁に割り当てられ、弁を調整するアクチュエータが設けられている。
媒体の圧力を調整する装置により、例えば、夜間のセットバックを中央で制御するために、中央制御での目標値を設定することが可能になっている。
そして、夜間のセットバックと昼間の設定との間で弁を切り換える信号は、所定の圧力変動の形式で、圧力センサに伝達されるようになっている。
このため、各圧力センサは、媒体の圧力の作用により移動するセンサ素子を備え、センサ素子は、機械的、流体圧により、空気圧により、あるいは電気的に弁のアクチュエータと連結されて、弁を調整するようになっている。
この場合、弁は、温度調整弁の形式で設けられている。
これは、例えば、夜間のセットバックと昼間の設定との間で、媒体により信号線とは独立して弁を切り替え可能であり、温度目標値が中央で調整されるようになっている。
【０００５】
さらに、ドイツ特許出願公開第１００５７４１６号明細書には、１つ以上の建物内の部屋を暖房するセントラルヒーティングシステムが開示されており、このシステムは、流入導管および帰還導管を特徴として備える導管ネットワークから構成されている。
複数の暖房区域は、供給導管および帰還導管により接続されており、室温を調節／制御する弁と放熱器のような少なくとも１つの消費手段とをそれぞれ備えている。
この場合、各暖房区域は、暖房区域の供給導管または帰還導管内に配置される流量絞りを備えている。
これにより、各暖房区域の弁において一定の圧力レベルを確保している。
【０００６】
弁において一定の圧力レベルに調整することを、流体圧のバランス制御という。
流体圧のバランス制御により、許容ノイズレベルを超えることなく動作条件が変化する状態の下で、導管ネットワーク中の水の分配を十分に確保することが可能となっている。
刊行物「ＩＫＺ−Ｈａｕｓｔｅｃｈｎｉｋ」（Ｖｏｌ.１３、ｐ．４８  ｆｆ．、１９９９）に記載された流体圧のバランス制御によれば、区域制御弁、流入レギュレータ、差圧レギュレータおよび制御された循環ポンプを用いることにより、システムにおいて水の分配を経済的に行なうことが可能となっている。
この方法により、放熱器、熱交換器等のすべての消費手段に対して、例えば、温度調整弁を同じ設定にして常時同一の流量となるよう必要なエネルギーが利用できるようになっている。
流体圧のバランス制御がなければ、エネルギー消費が増加するのに加えて、以下のような問題が起きる。
すなわち、部屋が所望の温度にならない、システムの構成部品がある時間だけ遅れて加熱される、部分配給モードにおいて室温が変動する、弁でのノイズが大きくなる等の問題が発生する。
【０００７】
放熱器／吸熱器は、最適な流量の熱伝達媒体または冷媒を受取った際にのみ機能を果たすことができる。
過度に低い流量では、冷暖房の能力が低下する。
しかし、放熱器/吸熱器に過剰な量の流体を配給しても、暖房能力は比例して増加する
ことはなく、熱放射がわずかに増加するのみである。
【０００８】
流体圧のバランス制御を実現するために、弁を事前に調整すること、すなわち、弁の開閉度を決定することは公知である。
この場合、弁はスロットルとして作動し、すべての冷暖房区域の全ての弁が完全に開放されている最大配給モードにおいて、すべての弁の上流側の圧力レベルが同じになるようになっている。
【０００９】
しかし、追加の構造対策が必要であるため、流体圧をバランス制御する公知の解決法は費用がかかるという問題があった。
さらに、例えば、流体圧のバランス制御が必要でない場合、部分配給モードにおいて、流量が弁、区域ゲート、あるいは、流量絞りにより制限されるという問題があった。
【００１０】
このため、本発明の目的は、前述したような不都合を回避するものであって、部分配給モードにおける冷暖房装置の能力を向上させることである。
【発明の開示】
【００１１】
そこで、本発明の目的は、冷暖房ユニットと、流入導管および帰還導管を有する導管ネットワークと、前記流入導管および帰還導管に接続される複数の回路と、該回路の流量を調整する弁と、前記導管ネットワークにおいて熱伝達媒体または冷媒として働く流体と、各回路に設けられた消費手段とを備える冷暖房装置であって、前記弁が、該弁の開閉度を調整する制御ユニットに接続されているとともに、前記回路にそれぞれ設けられたセンサが、個々の回路の間の流体圧をバランス制御するように、前記センサから制御ユニットに送信される信号に応じて前記弁を調整する制御ユニットの制御回路の一部を構成し、回路に設けられた弁が、該弁の所定調整範囲において回路のただ一つの流量絞りとして構成されていることによって達成される。
【００１２】
また、本発明をさらに発展させるのが、従属する請求項の発明である。
【００１３】
本発明は、温度制御回路に関連して適用した場合、冷暖房ユニットの暖房および／または冷却要求を調節する中央制御ユニットにより、弁、例えば、二方向弁または三方向弁を簡単に調整するという考えに基づいて、ソフトウェアをわずかに変更することにより、各回路に既に設置されている弁を用いて要求に応じた流体圧のバランス制御を実現することが可能となっている。
【００１４】
本発明によれば、弁は、その開閉度を調整する制御ユニットに接続されている。
ここで、センサが個々の回路に設置されており、センサは、個々の回路間で流体圧をバランス制御するように、センサから制御ユニットに送信される信号に応じて弁を調整する制御ユニットの制御回路の一部を構成している。
この構成により、例えば、区域ゲートや流量絞り等の流体圧をバランスさせる手段を追加する必要がなくなる。
さらに、流体圧のバランス制御に対する要求が低い部分配給モードでは、弁がスロットルとして作動しないため、消費手段としての放熱器／吸熱器や熱交換器等などの暖房能力を大幅に増加させることができる。
【００１５】
そして、制御ユニットと連動するセンサを個々の回路中に設けて、制御ユニットとともに流体圧のバランス制御が必要かどうかを判断することにより、流体圧のバランス制御を自動的に行うことができる。
弁に対する制御信号が、センサから得られる情報に基づいて、暖房／冷却要求に応じて流体圧のバランス制御を開始するかまたは弁の開閉度を単に調整するかに対応づけられるようになっている。
【００１６】
これに関して、センサは、様々な方法で回路内に配置可能である。
例えば、各１つのセンサを消費手段の上流側および下流側に設けることができる。
【００１７】
センサは、温度センサおよび／または圧力センサの形式で実現可能になっている。
例えば、流体圧のバランス制御が必要かどうかの判定根拠として温度を用いる場合、放熱器／吸熱器あるいは熱交換器などの上流側及び下流側にセンサを配置することが好ましい。
【００１８】
流体圧のバランス制御を開始するとき、システムのオーバーシュートを避けるために、ある時間間隔で、かつ弁の開度調整の程度に関して所定の増分で、弁が調整されるようになっている。
【００１９】
本発明では、弁以外にさらに流量絞りが導管ネットワークの各回路に設けられることはない。
【００２０】
本発明の実施例によれば、弁は、制御ユニットから制御信号を受信するサーボモータと連動し、サーボモータは、制御信号により決定される位置に弁のアクチュエータを移動させるようになっている。
【００２１】
この場合、弁は、完全に開放され、流量絞り／スロットルとして機能しないように操作されるようになっている。
この方法により、導管ネットワーク中のポンプにより発生しかつ各導管の断面により決定される流量を、弁の抵抗を受けることなく、暖房あるいは冷却のために使用することができる。
これにより、部分配給モードにおける冷暖房装置の能力が、大幅に増加するようになっている。
測定により、冷暖房装置の能力が約３０パーセント向上することが確認された。
【００２２】
制御ユニットは、温度を制御する第１制御回路と、回路の流体圧をバランス制御する第２制御回路とを備えることが好ましい。
【００２３】
この場合、制御ユニットは、その出力側に接続された最小値セレクタを特に備えているので、両方の制御回路から送信される１つ又は複数の弁に対する制御信号が最小値セレクタを経由して制御ユニットに供給され、異なる制御信号を受信される場合に弁を最小値の状態にする。
【００２４】
本発明の冷暖房装置について、図面に例示された実施例に基づいて、以下に説明する。
【発明を実施するための最良の形態】
【００２５】
図面に例示された実施例を参照して、本発明をさらに詳しく説明する。
なお、用語および符号の説明中に示される参照符号は、明細書、特許請求の範囲、要約および図面において用いられている。
【００２６】
図１は、熱源６を収納する地階の機械室４と、暖房する３つの階８ａ〜８ｃ、即ち、１階８ａ、２階８ｂおよび３階８ｃとを備える建物２の概略図であり、本発明の実施例を示している。
建物２内に設置された３つの部分区域１２ａ〜１２ｃは、セントラルヒーティングシステム１０の一部を構成し、第１暖房回路として機能している。
また、部分区域１２ａは１階８ａに設置され、部分区域１２ｂは２階８ｂに設置され、部分区域１２ｃは３階８ｃに設置されている。
【００２７】
そして、これらの部分区域１２ａ〜１２ｃは、互いに個別に延びる流入導管１８および帰還導管２０をそれぞれ備えている。
さらに、これらの部分区域１２ａ〜１２ｃにおける流入導管１８および帰還導管２０は、垂直流入導管１４および垂直帰還導管１６を介して熱源６にそれぞれ接続されている。
【００２８】
また、第２暖房回路として機能する３つの暖房区域３２，３４，３６は、暖房される階８ａ〜８ｃのそれぞれの部分区域１２ａ〜１２ｃに接続されている。
そして、暖房区域３２，３４，３６は、供給導管２４により部分区域１２ａ〜１２ｃにそれぞれ割り当てられた流入導管１８に接続されているとともに、帰還導管３０により部分区域１２ａ〜１２ｃにそれぞれ割り当てられた帰還導管２０に接続されている。
最初の２つの暖房区域３２および３４は、それぞれ放熱器２２のような消費手段を１つ備えており、図示された第３の暖房区画３６では、２つの放熱器２２が直列に配置されている。
部分区域１２ａ〜１２ｃの流入導管１８と帰還導管２０とは、同じ直径の導管である。
【００２９】
各暖房区域３２，３４，３６の供給導管２４に配置された弁２８は、室温を調節し、サーボモータ２６によりそれぞれ作動させることが可能になっている。
【００３０】
個々の暖房区域３２〜３６間の流体圧をバランス制御するために、温度センサ３８が、それぞれの放熱器２２の上流側および下流側にそれぞれ配置されている。
温度センサ３８は、部分区域１２ｃ中の直列に接続された放熱器２２にのみ設けられ、この場合、第３の暖房区域３６では、この暖房区域３６の最初の放熱器２２の上流側および最後の放熱器２２の下流側に温度センサ３８が設けられている。
当然、部分区域１２ａ〜１２ｃの流入導管および帰還導管中にただ１つの温度センサ３８を設けても、個々の部分区域１２ａ〜１２ｃの間の流体圧のバランス制御が十分もたらされるであろう。
【００３１】
温度センサ３８は、制御ユニット４０と連動して、暖房区域３２，３４，３６または部分区域１２ａ〜１２ｃにおける流入温度と帰還温度とをそれぞれ配信するようになっている。
【００３２】
サーボモータ２６は、制御ユニット４０により制御されるようになっている。
温度センサ３８、流体圧バランスレギュレータ４８を備える制御ユニット４０と弁２８付きのサーボモータ２６とは、セントラルヒーティングシステム１０の流体圧をバランス制御させる制御回路の一部を構成している。
【００３３】
別の温度レギュレータ４６、サーボモータ２６および弁２８を有する制御ユニット４０とともに、別の公知の温度センサ４２が設けられており、通常、階８ａ〜８ｃの部屋の温度を調節するための制御回路を構成している。
【００３４】
例えば、弁２８の大部分が開放されていると、セントラルヒーティングシステム１０では、通常、熱伝達媒体の流速が異なっている。
セントラルヒーティングシステム１０においては、実質的に一定の流速は、流体圧のバランス制御回路により調整されている。
流速が実質的に一定であるため、セントラルヒーティングシステム１０の導管ネットワークの内部において、特に各暖房区域３２の供給導管２４および帰還導管３０の内部、したがって弁２８において、圧力変動が防止されている。
結果として、互いに動作する弁２８のヒステリシスは変化しない。
これにより、室温が等時的に制御されるという効果がもたらされる。
【００３５】
図２は、図１に示す温度制御と連動する流体圧のバランス制御のシーケンスを示すものであり、理解しやすく説明するために１つの部屋８および回路７４〜７８の制御のみを示している。
【００３６】
温度制御は、従来の方法で行われている。
すなわち、温度センサ４２のようなセンサが、温度レギュレータ４６と連動している。
部屋８内の実際の温度Ｔistは、温度センサ４２により温度レギュレータ４６に送られるようになっている。
部屋８に対する所望の計画温度Ｔsollは、予め調整してあり、制御ユニット４０に記憶されている。
計画温度Ｔsollは、制御ユニット４０のメモリにより、温度レギュレータ４６で利用可能である。
計画値／実際値の比較により、弁２８のサーボモータ２６に割り当てられた温度レギュレータのサーボモータ用制御信号５０がもたらされている。
例えば、暖房中に計画温度Ｔsollが実際の温度Ｔistより高い場合には、熱伝達媒体の流量およびそれによる部屋８の放熱器２２の熱放射が増加するように、弁２８を開放する必要がある。
【００３７】
温度レギュレータ４６に加えて、別の流体圧バランスレギュレータ４８が、階８ａ〜８ｃの流体圧のバランス制御、および階８ａから階８ｃの間と同様に後述する回路７４〜７８の流体圧のバランス制御ために設けられている。
この場合、流入導管および帰還導管の各温度センサ３８は、温度センサ３８から送信される温度に基づき放熱器２２の上流側と下流側の熱伝達媒体間の温度差または消費手段の上流側と下流側の熱伝達媒体間の温度差を決定する手段５２に割り当てられている。
この温度差は、実際の差分温度Ｔist diffに相当している。
【００３８】
計画差分温度Ｔsoll diffは、弁２８の開度位置と流入導管温度の関数として放熱器２２または消費装置の流入導管と帰還導管との間の予め調整された温度差に基づいて決定されるようになっている。
計画値Ｔsoll diffには、ある許容範囲がある。
許容範囲は、動作状態にある消費装置の数、したがって動作中の放熱器２２の数が増加するのに比例して減少するようになっている。
また、許容範囲は、動作状態にある消費装置の数、したがって動作中の放熱器２２の数が減少するのに比例して増加するようになっている。
参照符号５４は、流体圧バランスレギュレータ４８の流体圧のバランス用制御信号を示す。
【００３９】
差分温度の値Ｔist diffが許容範囲の値Ｔsoll diffの範囲内にあれば、流体圧バランスレギュレータ４８の流体圧のバランス用制御信号５４は、弁２８の流路断面が１００％開放される値に対応している。
差分温度の値Ｔist diffが許容範囲の値Ｔsoll diffの範囲外にあれば、制御信号５４は、流体圧のバランス制御を確保する値、即ち、温度レギュレータ４６のサーボモータ用制御信号５０の値よりも小さい値に対応するようになっている。
【００４０】
このように、流体圧をバランス制御する流体圧バランスレギュレータ４８の制御信号５４の値は、弁２８の開放断面の１００％に対応するか、あるいは、温度レギュレータ４６のサーボモータ用制御信号５０の値よりも小さいかのいずれかになるようになっている。
【００４１】
次に、温度レギュレータ４６のサーボモータ用制御信号５０および流体圧バランスレギュレータ４８の流体圧のバランス用制御信号５４は最小値セレクタ４４に入力されて、温度レギュレータ４６のサーボモータ用制御信号５０または流体圧バランスレギュレータ４８の流体圧のバランス用制御信号５４の低い方の値である制御信号５６のみが弁２８のサーボモータ２６に供給されるようになっている。
【００４２】
制御ユニット４０は、オーバーシューティングを防止しながらシステムが過渡状態に入ることができるように、流体圧のバランス制御が徐々に調整されることを確実に行う。
【００４３】
図３は、本発明の変形例を示す。
この場合、弁９６は、区域ゲートとして機能し、流体圧をバランス制御するために、図示しないサーボモータにより、これまで説明した弁２８と同じように制御されるようになっている。
ここで、参照符号８８は、回路７４中の弁であり、三方向弁のタイプのものが用いられる。
【００４４】
図３は、セントラル式冷暖房システム６０の一部を構成する供給ユニット５８を示す。
図３には１つの供給ユニット５８だけが示されているが、セントラル式冷暖房システム６０は、図に示す供給ユニット５８と同じように設計された数個の供給ユニット５８からなり、それぞれの供給ユニット５８が１つの建物に供給するようになっている。
【００４５】
主供給ライン６２は、主流入導管６４と主帰還導管６６とを備えている。
分配ユニット７２は、供給導管６８と帰還導管７０とにより、主供給ライン６２に接続されている。
分配ユニット７２は、供給ユニット５８の一部を構成している。
【００４６】
さらに、供給ユニット５８は、３つの回路７４、７６および７８、即ち、換気回路７４、暖房回路７６および家庭用水回路７８を備えている。
３つの回路７４、７６および７８のそれぞれは、流入導管８０、ポンプ８２および帰還導管８４を備えている。
３つの回路７４、７６および７８は、異なる流体回路を形成している。
３つの回路７４、７６および７８は公知であるため、より詳細な説明は省略する。
以下に、暖房回路７６のみを例として説明する。
【００４７】
図示されているような暖房回路７６は、注入回路の形式で設けられ、複数の放熱器２２を備えている。
弁２８は、供給導管８６中の各放熱器２２に配置されている。
放熱器２２の供給導管８６は暖房回路７６の流入導管８０に接続され、帰還導管９０は暖房回路の帰還導管８４に接続されている。
【００４８】
暖房回路７６の流入導管８０および帰還導管８４は、機械的なスライド弁９４が一体化されたバイパス９２により互いに接続されている。
スライド弁９４の位置は、事前に調整されない、即ち、完全に開放されており調整されていない。
【００４９】
流量を調節するための、したがって流入温度を調節するための別の弁９６が、バイパス９２の下流側の暖房回路７６の帰還導管８４中に配置されている。
前述の実施形態による流体圧のバランス制御は、弁９６を調節／制御することにより、個々の回路７４〜７８間で達成されるようになっている。
前述した制御ユニットと同じように実現される制御ユニット４０と連動する温度センサ３８は、この目的のために、流入導管８０の内部および帰還導管８４の内部に配置されている。
【００５０】
別の弁２８も、必ずしも必要ではないが、供給導管８６および帰還導管９０中に流体圧のバランス制御を達成するセンサを備えている。
回路７４、７６および７８間において、流体圧のバランス制御が達成されれば十分である。
【図面の簡単な説明】
【００５１】
【図１】本発明の実施例である複数階の建物中における暖房装置の回路図。
【図２】本発明の一実施例である流体圧のバランス制御のシーケンスを示す概略図。
【図３】各弁が区域ゲートとして機能を果たす本発明の変形例を示す図。
【符号の説明】
【００５２】
２  ・・・建物
４  ・・・機械室
６  ・・・熱源
８  ・・・部屋
８ａ〜８ｃ  ・・・階
１０  ・・・セントラルヒーティングシステム
１２ａ〜１２ｃ  ・・・部分区域
１４  ・・・垂直流入導管
１６  ・・・垂直帰還導管
１８  ・・・部分区域の流入導管
２０  ・・・部分区域の帰還導管
２２  ・・・放熱器
２４  ・・・暖房区域の供給導管
２６  ・・・サーボモータ
２８  ・・・弁
３０  ・・・暖房区域の帰還導管
３２  ・・・第１暖房区域
３４  ・・・第２暖房区域
３６  ・・・第３暖房区域
３８  ・・・温度センサ
４０  ・・・制御ユニット
４２  ・・・温度センサ
４４  ・・・最小値セレクタ
４６  ・・・温度レギュレータ
４８  ・・・流体圧バランスレギュレータ
５０  ・・・温度レギュレータのサーボモータ用制御信号
５２  ・・・温度差を決定する装置
５４  ・・・流体圧のバランス用制御信号
５６  ・・・最小値セレクタ用制御信号
５８  ・・・供給ユニット
６０  ・・・中央式冷却および／または暖房装置
６２  ・・・主供給ライン
６４  ・・・主流入導管
６６  ・・・主帰還導管
６８  ・・・供給導管
７０  ・・・帰還導管
７２  ・・・分配ユニット
７４  ・・・換気回路
７６  ・・・暖房回路
７８  ・・・家庭用水回路
８０  ・・・回路流入導管 
８０ａ・・・回路流入導管の部分区域
８２  ・・・ポンプ
８４  ・・・回路帰還導管中の弁
８６  ・・・放熱器の供給導管
８８  ・・・弁
９０  ・・・放熱器の帰還導管
９２  ・・・バイパス
９４  ・・・スライド弁
９６  ・・・弁
【図１】
0004786643.tif 000002
【図２】
0004786643.tif 000003
【図３】
0004786643.tif 000004